【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
コンピュータと、
陽子治療計画演算を行うように、前記コンピュータによって読出し可能及び実行可能である命令を記憶している少なくとも１つの非一時的記憶媒体と、
を含み、
前記陽子治療計画演算は、
少なくとも到達距離補償体形状を規定するパラメータを有する陽子治療計画に従って、ボリュームに対して陽子治療を行うことによって、前記ボリュームに照射されるノミナル線量分布を計算する計算演算と、
調整演算によって調整される前記パラメータを有する前記陽子治療計画に従って、エラーシナリオによって変更される前記ボリュームに対して陽子治療を行うことによって、前記エラーシナリオによって変更される前記ボリュームに照射されるように計算される摂動線量分布と、前記ノミナル線量分布との差を小さくするように、前記陽子治療計画の前記パラメータを調整する調整演算であって、エラーシナリオの集合の各エラーシナリオについて繰り返される調整演算と、
前記エラーシナリオの集合のすべてのエラーシナリオについて繰り返される前記調整演算によって調整された前記陽子治療計画の前記パラメータを有する前記陽子治療計画を記憶する記憶演算と、
を含む、陽子治療計画デバイス。
【請求項２】
前記陽子治療計画の前記パラメータは更に、到達距離モジュレータデバイスによって実現される到達距離バンドを規定する、請求項１に記載の陽子治療計画デバイス。
【請求項３】
前記陽子治療計画演算は更に、
前記コンピュータの表示コンポーネント上に、前記調整演算によって調整された前記陽子治療計画に従って、前記ボリュームに対して陽子治療を行うことによって、前記ボリュームに照射されるように計算される前記摂動線量分布の視覚化を表示する演算を含む、請求項１又は２に記載の陽子治療計画デバイス。
【請求項４】
前記陽子治療計画の前記パラメータは更に、陽子ビームアパーチャ横断面を規定する、請求項１から３の何れか一項に記載の陽子治療計画デバイス。
【請求項５】
前記陽子治療計画演算は更に、前記エラーシナリオの集合のうちの少なくとも２つの異なるエラーシナリオに対して前記調整演算を繰り返した後に、
前記少なくとも２つの異なるエラーシナリオのそれぞれについて繰り返された前記調整演算によって調整されたパラメータを用いて、前記少なくとも２つの異なるエラーシナリオの各エラーシナリオによって変更された前記ボリュームに照射されるように計算される各摂動線量分布と、前記ノミナル線量分布との差の合計を計算する演算を含み、
前記合計の各差は、対応する重み付け係数によって重み付けされる、請求項１に記載の陽子治療計画デバイス。
【請求項６】
前記差の前記合計が閾値を上回る場合、前記調整演算は、前記少なくとも２つの異なるエラーシナリオの少なくとも一方のエラーシナリオについて繰り返される、請求項５に記載の陽子治療計画デバイス。
【請求項７】
前記ノミナル線量分布と、各摂動線量分布との差は、１ボクセル当たり又は１領域当たりの差の総和として計算され、前記差に対応する前記重み付け係数は、前記１ボクセル当たり又は１領域当たりの差に適用され、ボクセル又は領域の位置の関数である、請求項５又は６に記載の陽子治療計画デバイス。
【請求項８】
前記エラーシナリオの集合は、複数の平行移動エラーシナリオを含み、各平行移動エラーシナリオによって変更される前記ボリュームは、前記平行移動エラーシナリオによって共に規定される方向及び距離だけ移動する、請求項５から７の何れか一項に記載の陽子治療計画デバイス。
【請求項９】
前記エラーシナリオの集合は、特徴ボリュームエラーシナリオを含み、前記特徴ボリュームエラーシナリオによって変更される前記ボリュームは、前記特徴ボリュームエラーシナリオによって規定される量だけ変更された前記ボリューム内に少なくとも部分的にある臓器、腫瘍又は病変を含む特徴のボリュームを有する、請求項５から８の何れか一項に記載の陽子治療計画デバイス。
【請求項１０】
前記エラーシナリオの集合は、臓器移動エラーシナリオを含み、前記臓器移動エラーシナリオによって変更される前記ボリュームは、前記臓器移動エラーシナリオによって共に規定される方向及び距離だけ移動した、前記ボリューム内に少なくとも部分的にある臓器を有する、請求項５から９の何れか一項に記載の陽子治療計画デバイス。
【請求項１１】
前記陽子治療計画は、複数の陽子ビームを含み、前記陽子治療計画の前記パラメータは、少なくとも、各陽子ビームの到達距離補償体形状を規定する、請求項１から１０の何れか一項に記載の陽子治療計画デバイス。
【請求項１２】
請求項１から１１の何れか一項に記載の陽子治療計画デバイスと、
前記調整演算によって調整された前記陽子治療計画に従って、前記ボリュームに対して陽子治療を行う陽子ビームノズルと、
を含み、
前記陽子ビームノズルの構成は、前記陽子ビームノズルに取り付けられ、その形状が、前記到達距離補償体形状を規定する前記調整演算によって調整された前記パラメータに従って規定される到達距離補償体を少なくとも含む、陽子治療デバイス。
【請求項１３】
コンピュータと、
陽子治療計画演算を行うように、前記コンピュータによって読出し可能及び実行可能である命令を記憶している少なくとも１つの非一時的記憶媒体と、
を含み、
前記陽子治療計画演算は、
到達距離モジュレータデバイスによって実現される到達距離バンドを少なくとも規定するパラメータを有する陽子治療計画を生成する演算と、
前記陽子治療計画に従って、患者のボリュームに対して陽子治療を行うことによって、前記患者の前記ボリュームに照射されるノミナル線量分布を計算する計算演算と、
前記患者の前記ボリューム内の計画ターゲットボリュームと計算された前記ノミナル線量分布の一致を向上させるように、前記到達距離バンドを規定する前記パラメータを調整する調整演算であって、エラーシナリオの集合の各エラーシナリオについて繰り返される調整演算と、
を含む、陽子治療計画デバイス。
【請求項１４】
前記陽子治療計画の前記パラメータは更に、到達距離補償体の形状を規定するパラメータを含み、前記陽子治療計画演算は更に、
前記患者の前記ボリューム内の前記計画ターゲットボリュームとの計算された前記ノミナル線量分布の一致を向上させるために、前記到達距離補償体の前記形状を規定する前記パラメータを調整する演算を含む、請求項１３に記載の陽子治療計画デバイス。
【請求項１５】
前記陽子治療計画演算は更に、
前記調整演算によって調整される前記パラメータを有する前記陽子治療計画に従って、エラーシナリオによって変更された前記ボリュームに対して陽子治療を行うことによって、前記エラーシナリオによって変更された前記ボリュームに照射されるように計算される摂動線量分布と、前記ノミナル線量分布との差を小さくするように、前記陽子治療計画の前記パラメータを調整する演算を含む、請求項１３又は１４に記載の陽子治療計画デバイス。
【手続補正２】
【補正対象書類名】明細書
【補正対象項目名】００４２
【補正方法】変更
【補正の内容】
【００４２】
ステップ（ｅ）：現在の補償体形状及びＲＢのパラメータを用いてステップ（ｄ）において計算された対の線量エラーが許容範囲にあるならば、ステップ（ａ）からステップ（ｄ）が、次のエラー対（例えば＋Δｙ及び−Δｙ）について実行される。
【手続補正３】
【補正対象書類名】明細書
【補正対象項目名】００４３
【補正方法】変更
【補正の内容】
【００４３】
ステップ（ｆ）：その一方で、現在の補償体形状及びＲＢのパラメータを用いてステップ（ｄ）において計算された対の線量エラーが許容範囲にないならば、ステップ（ａ）からステップ（ｄ）は、ステップ（ｄ）において計算される対の線量エラーが受理されるように十分に小さくなるまで、同じ対について実行される。
【手続補正４】
【補正対象書類名】明細書
【補正対象項目名】００４４
【補正方法】変更
【補正の内容】
【００４４】
ステップ（ｇ）：ステップ（ａ）からステップ（ｆ）を実行することによってすべてのエラー対について補償体形状及びＲＢのパラメータが変更されると、アイソセンターは、元の位置に戻され、現在の補償体形状及びＲＢのパラメータ並びにＰＤＶ（ｉ）は、線量を再計算することによって、各ボクセルｉにおいて更新される。
【手続補正５】
【補正対象書類名】明細書
【補正対象項目名】００４６
【補正方法】変更
【補正の内容】
【００４６】
ステップ（ｉ）：その一方で、式（４）における結果として得られる合計線量エラーが許容範囲にないならば、ステップ（ａ）からステップ（ｇ）が、式（４）における合計線量エラーが受理されるように十分に小さくなるまで繰り返される。